(57)【要約】【課題】補助収納部の使用時において拡張可能な容量が大きく、不使用時においては該補助収納部が縮小されるとともに外部から見えなくなる意匠的に優れたリュックサックを提供する。【解決手段】リュック本体２と、リュック本体２の正面部２５に設けられた補助収納部３と、表カバー部４と、リュック本体２の正面部２５と表カバー部４の側周部同士を係合するファスナー５と、を備えたリュックサックであって、補助収納部３は、不使用時には、表カバー部４とリュック本体２の正面部２５に挟まれた状態でファスナー５が閉じられることでそれらの間の空間に外部から見えないように格納される。【選択図】図４
2018033588.tif 000002
【特許請求の範囲】
【請求項１】
主収納部と一対の肩ベルトを備えたリュック本体と、
前記リュック本体の正面部に設けられ、上部に開口部を有し、使用時には該正面部から展開されることでその容量が拡張され、不使用時には縮小される補助収納部と、
前記リュック本体の正面部と略同じ大きさであり、該リュック本体の正面部と上端部同士で連結されている表カバー部と、
前記リュック本体の正面部と前記表カバー部の上端部を除く側周部同士を着脱自在に係合するファスナーと、
を備えたリュックサックであって、
前記補助収納部は、
不使用時には、前記表カバー部によって該補助収納部の正面側が覆われ、該表カバー部と前記リュック本体の正面部に挟まれた状態で前記ファスナーが閉じられることでそれらの間の空間に外部から見えないように格納され、
使用時には、ファスナーが開放されることで前記表カバー部が開かれて展開可能となり、収納物を収納した後は前記表カバー部によって前記開口部が覆われることを特徴とするリュックサック。
【請求項２】
請求項１に記載のリュックサックであって、
前記表カバー部は、
その表面の上半分と下半分の領域に上側小型収納部と下側小型収納部をそれぞれに備えており、
前記補助収納部の展開時には、前記下側小型収納部が内側になるように２つ折りに折り畳まれた状態で、前記補助収納部の開口部を覆うことを特徴とするリュックサック。
【発明の詳細な説明】
【技術分野】
【０００１】
本発明は、収納量の多い拡縮可能な補助収納部を備える可変容量のリュックサックに関する。
【背景技術】
【０００２】
一般的にリュックサックは、容量の大きい１つの主収納部と、両側面や正面部に容量の小さい小型の収納部を１つ乃至複数個備えている構成となっている。しかしながら、一度に持ち運ぶ荷物が主収納部に入りきる量を大幅に超えるほど多いときなどでは、主収納部とは別に大容量の補助収納部が求められる場合があった。一方で、そのように荷物が多くなる頻度がそう多くない場合、今度は使用しない補助収納部自体がデッドスペースとなり、持ち運びの邪魔となってしまう問題点があった。
【０００３】
上記の課題に対するものとして、特許文献１には、胴部と、該胴部の背面側に取り付けた第１の背板と、前記胴部の正面側に取り付けた大仕切板とにより構成される、上部を開口とした本体部と、前記第１の背板の背面側に第１の背板に重なり合う配置で備えられた第２の背板と、該第２の背板の上部に取り付けた一対の肩ベルトと、を備え、前記第２の背板は、上端部を前記第１の背板に連結するとともに左右縁部及び下部縁部を着脱自在に前記第１の背板に連結し、これにより、前記第１の背板と第２の背板間に副収容部（補助収納部）を形成した構成のスクールバッグが記載されている。
【０００４】
特許文献２には、主収容部と、胴前収容部と、該胴前収容部の正面側に備えた、上部を開口とした補助収容部と、を備えたスクールバッグであって、前記補助収容部は、補助収容部の左右の側壁を構成する一対のマチ片と、該一対のマチ片間の開口部分を閉鎖して、前記補助収容部の正面側の壁と底部分を構成する正面板部と、を具備するとともに、前記一対のマチ片は、互いに、伸縮自在な弾性体によって構成された連通手段によって連通されており、それぞれが対向する側に向けて倒れた状態から、起立した状態に変化自在とし、起立した状態に変化させることで、補助収容部の収容空間を広げることを可能にした構成のスクールバッグが記載されている。
【０００５】
また、特許文献３には、物品を収納するよう形作られた拡張可能なコンパートメント（収納部）を有し、該コンパートメントは、互いに協働する第１の区域と第２の区域を備え、前記第１の区域は、前記バックパック本体に結合され、前記第１の区域は、２つの端部を有し、各端部は、突起を有し、前記第２の区域は、互いに協働することができる３つの領域を有し、前記バックパック本体上で前記第２の区域と協働すると共に前記３つの領域の相互協働を容易にすることができる紐を有し、前記端部の前記突起の形状は、前記コンパートメントが非拡張形態にあるとき、ユーザに対する第１の区域の視認性を減少させる構成のバックパックが記載されている。
【先行技術文献】
【特許文献】
【０００６】
【特許文献１】実用新案登録第３１３７７４０号公報
【特許文献２】実用新案登録第３１６１６９２号公報
【特許文献３】特開２００７−２１１９８号公報
【発明の概要】
【発明が解決しようとする課題】
【０００７】
特許文献１に記載のスクールバッグは、補助収納部が主収納部の背部と使用者が背負う肩ベルトを有する板状部材との間に設けられているために、収縮時には外部からは見えなくなるが、あまり容量を大きく拡張する余地がなかった。
【０００８】
一方、特許文献２及び３に記載のものでは、いずれも補助収納部が主収納部の正面部に設けられているため、使用時においては大きく拡張することができた。しかしながら、両者の補助収納部はいずれも正面部に設けられているが為に縮小された状態であっても外部から丸見えとなっていた。このように使われない収納部が剥き出しになっていることは、特にスマートな外観が求められるビジネスリュック等の意匠としてはあまり好ましいことではない。
【０００９】
本発明は上記のような課題に鑑みてなされたものであり、補助収納部の使用時において拡張可能な容量が大きく、不使用時においては該補助収納部が縮小されるとともに外部から見えなくなる意匠性に優れたリュックサックを提供することにある。
【課題を解決するための手段】
【００１０】
上記課題を解決するために、本発明は次のとおりの構成としている。
【００１１】
本発明のリュックサックは、主収納部と一対の肩ベルトを備えたリュック本体と、前記リュック本体の正面部に設けられ、上部に開口部を有し、使用時には該正面部から展開されることでその容量が拡張され、不使用時には縮小される補助収納部と、前記リュック本体の正面部と略同じ大きさであり、該リュック本体の正面部と上端部同士で連結されている表カバー部と、前記リュック本体の正面部と前記表カバー部の上端部を除く側周部同士を着脱自在に係合するファスナーと、を備えたリュックサックであって、前記補助収納部は、不使用時には、前記表カバー部によって該補助収納部の正面側が覆われ、該表カバー部と前記リュック本体の正面部に挟まれた状態で前記ファスナーが閉じられることでそれらの間の空間に外部から見えないように格納され、使用時には、ファスナーが開放されることで前記表カバー部が開かれて展開可能となり、収納物を収納した後は前記表カバー部によって前記開口部が覆われることを特徴としている。
【００１２】
上記構成によれば、補助収納部はリュック本体の正面側に配されるため、その容量を大きく展開することができる。また、不使用時には外部から見えないように格納されることから、スマートで意匠性に優れた外観とすることができる。
【００１３】
また上記のリュックサックの表カバー部は、その表面の上半分と下半分の領域に上側小型収納部と下側小型収納部をそれぞれに備えており、前記補助収納部の展開時には、前記下側小型収納部が内側になるように２つ折りに折り畳まれた状態で、前記補助収納部の開口部を覆う構成としてもよい。
【００１４】
上記構成によれば、表カバー部の表面にさらに２つの小型収納部を設けることができるとともに、補助収納部の展開時において、その下端が補助収納部に垂れ下がることなく開口部周辺のみを覆うスマートで意匠性に優れた外観とすることができる。
【発明の効果】
【００１５】
本発明によれば、補助収納部の使用時において拡張可能な容量が大きく、不使用時においては該補助収納部が縮小されるとともに外部から見えなくなる意匠的に優れたリュックサックを提供することができる。
【図面の簡単な説明】
【００１６】
【図１】本実施形態に係るリュックサックの、補助収納部を格納した状態を示す斜面図である。
【図２】図１に示すリュックサックの、表カバー部を開き、補助収納部を展開した状態を示す斜面図である。
【図３】図１に示すリュックサックの、表カバー部を二つ折りにした状態を示す斜面図である。
【図４】図１に示すリュックサックの、表カバー部を二つ折りにし、展開した補助収納部の開口部を覆った状態を示す斜面図である。
【図５Ａ】図１に示すリュックサックの、補助収納部を格納した状態を示す側面図である。
【図５Ｂ】図１に示すリュックサックの、表カバー部を開放した状態を示す側面図である。
【図５Ｃ】図１に示すリュックサックの、補助収納部を展開し、開口部を広げた状態を示す側面図である。
【図５Ｄ】図１に示すリュックサックの、補助収納部に収納物を入れて開口部を閉じた状態を示す側面図である。
【図５Ｅ】図１に示すリュックサックの、表カバー部を二つ折りに畳んでいる状態を示す側面図である。
【図５Ｆ】図１に示すリュックサックの、表カバー部を二つ折りにして、補助収納部の開口部を覆っている状態を示す側面図である。
【発明を実施するための形態】
【００１７】
以下、本発明に係るリュックサックの実施形態について、図面に基づいて詳しく説明する。
【００１８】
図１は、本実施形態に係るリュックサックの、補助収納部を格納した状態を示す斜面図である。図２は、図１に示すリュックサックの、表カバー部を開き、補助収納部を展開した状態を示す斜面図である。図３は、図１に示すリュックサックの、表カバー部を二つ折りにした状態を示す斜面図である。図４は、図１に示すリュックサックの、表カバー部を二つ折りにし、展開した補助収納部の開口部を覆った状態を示す斜面図である。図５Ａは、図１に示すリュックサックの、補助収納部を格納した状態を示す側面図である。図５Ｂは、図１に示すリュックサックの、表カバー部を開放した状態を示す側面図である。図５Ｃは、図１に示すリュックサックの、補助収納部を展開し、開口部を広げた状態を示す側面図である。図５Ｄは、図１に示すリュックサックの、補助収納部に収納物を入れて開口部を閉じた状態を示す側面図である。図５Ｅは、図１に示すリュックサックの、表カバー部を二つ折りに畳んでいる状態を示す側面図である。図５Ｆは、図１に示すリュックサックの、表カバー部を二つ折りにして、補助収納部の開口部を覆っている状態を示す側面図である。
【００１９】
なお、以下の説明における前（表）後は、特に言及しない限り、肩ベルトが設けられており使用者が背負う側を後側、その反対側を前（表）側とする。また上下は図面で示す通り、収納部の開口部のある方を上、底面部のある方を下とする。
【００２０】
−本実施形態に係るリュックサック１の構成−
本実施形態に係るリュックサック１は、図１乃至５Ａ−Ｆに示すように、主収納部２０と一対の肩ベルト２１（図面には片方のみ表示）を備えたリュック本体２と、リュック本体２の正面部２５に設けられ、上部に開口部３０を有し、使用時には該正面部２５から展開されることでその容量を拡張され、不使用時には縮小される補助収納部３と、リュック本体２の正面部２５と略同じ大きさであり、該リュック本体２の正面部２５と上端部同士で連結している表カバー部４と、リュック本体２の正面部２５と表カバー部４の上端部を除く側周部同士を着脱自在に係合するファスナー５と、から構成されている。
【００２１】
リュック本体２の主収納部２０は、略立方体状となっており、その側周部の上側半分に亘って、主収納部２０に収納物（図示せず）を出し入れするためのファスナー２２が設けられている。また、上端部には、リュックサック１を上から掴み上げて持ち運びができるよう、持ち手２３,２３が設けられている。さらに、両側部の下側半分には、サイドポケット２４（図面には片方のみ表示）が設けられている。
【００２２】
表カバー部４は、その表面の上半分と下半分の領域に、上側小型収納部４１と下側小型収納部４２をそれぞれに備えており、また、上側小型収納部４１と下側小型収納部４２の中間部には、補助収納部３の展開時において表カバー部４が不用意に開かないように固定するためのメスバックル４４を備えている。さらに、表カバー部４は、中央部（図２の点線Ｘで示す部位）で二つ折りにすることができる構成となっており、該表カバー部４の裏面の上端と下端には、その際に二つ折りの状態を留めておくための面ファスナー４３ａ,４３ｂがそれぞれに設けられている。上側小型収納部４１と下側小型収納部４２の側周部の上半分には、それぞれ中に収納物を出し入れするための上側収納部ファスナー４１ａ及び下側収納部ファスナー４２ａが設けられている。また、上側小型収納部４１の表面部には、さらにポケット４１ｂが設けられており、その開口部はファスナー（図示せず）によって開閉される。
【００２３】
補助収納部３は大容量の袋体であり、リュック本体２の正面部２５に直接取り付けられている。またその下部には、表カバー部４のメスバックル４４と係合するオスバックル３２が設けられている。さらに補助収納部３の上部に設けられた開口部３０には、該開口部３０の周囲に沿って、開閉紐３１が環状に取り付けられている。開閉紐３１は、該開閉紐３１のなす環を引き絞ったり緩めたりすることで開口部３０を開閉する留め具３１ａを有している。
【００２４】
−本実施形態に係るリュックサック１の補助収納部３の使用方法−
次に、本実施形態のリュックサック１の補助収納部３の使用方法について、詳しく説明する。
【００２５】
補助収納部３は、不使用時には、図５Ａに示すように、表カバー部４によって該補助収納部３の正面側が覆われ、該表カバー部４とリュック本体２の正面部に挟まれた状態でファスナー５が閉じられることでそれらの間の空間に外部から見えないように格納されている。
【００２６】
補助収納部３を使用するには、まず、図５Ｂに示すように、リュック本体２の正面部２５と表カバー部４を繋げていたファスナー５を開放し、表カバー部４を大きく開き上げる。
【００２７】
次に、図５Ｃに示すように、補助収納部３を引っ張り出して展開し、留め具３１ａを緩めることでその開口部３０を大きく開き、中に収納物を入れる。
【００２８】
収納物を入れ終わったら、図５Ｄに示すように、留め具３１ａによって開閉紐３１のなす環を引き絞り、開口部３０を閉じる。
【００２９】
次に、図５Ｅに示すように、表カバー部４をその中央部（図２の点線Ｘで示す部位）で図５Ｅの矢印で示すように下側小型収納部４２が内側になるように折り畳み、その裏面において相対する面ファスナー４３ａ,４３ｂ同士を接着させることで二つ折りの状態にする。これにより、表カバー部４の表面中央部に位置していたメスバックル４４が、折り畳まれた表カバー部４の下端部に位置するようになる。
【００３０】
最後に、図５Ｆで示すように、二つ折りとなった表カバー部４で開口部３０を覆い、該表カバー部４のメスバックル４４に、補助収納部３の下部から延びるオスバックル３２を係合することで、表カバー部４が不用意に開くことがないように固定されるとともに、開口部３０が剥き出しになることなくスマートで意匠的に優れた外観となる。
【００３１】
−その他の実施形態−
本発明は、上記実施形態に限定されず、その精神又は主要な特徴から逸脱することなく他の様々な形で実施することができる。
【００３２】
例えば、上記実施形態では、補助収納部３は袋体であるが、両側部にマチ部を設けたポケット型であってもよい。
【００３３】
また、上記実施形態では、表カバー部４は補助収納部３の展開後、二つ折りの形態となって開口部３０の周辺部のみを覆うが、二つ折りにせずに、そのままの形態で補助収納部３全体に覆い被さってもよい。
【符号の説明】
【００３４】
１    リュックサック
２    リュック本体
３    補助収納部
４    表カバー部
５    ファスナー
２０  主収納部
２１  肩ベルト
２５  正面部
３０  開口部
４１  上側小型収納部
４２  下側小型収納部
【図１】
2018033588.tif 000003
【図２】
2018033588.tif 000004
【図３】
2018033588.tif 000005
【図４】
2018033588.tif 000006
【図５Ａ】
2018033588.tif 000007
【図５Ｂ】
2018033588.tif 000008
【図５Ｃ】
2018033588.tif 000009
【図５Ｄ】
2018033588.tif 000010
【図５Ｅ】
2018033588.tif 000011
【図５Ｆ】
2018033588.tif 000012